(57)【要約】【課題】  航空機の離陸中、着陸中に確実に電源を自動的に切断する。【解決手段】携帯端末機器100の電源切断システムに、高度を一定時間間隔で測定する高度センサ105と、高度センサから報告された高度データを記録する高度データ記録部107Aと、携帯端末機器の各部への電源供給を行う電源制御部108と、高度データの時間変化の閾値を記録する閾値記録部107Bと、高度センサから今回報告された高度データと高度データ記録部から読み出した前回の高度データとの差をとり、差を一定時間間隔で割り、高度変化速度を演算する高度変化速度演算部109Aと、演算された高速度変化速度の大きさが閾値よりも大であると判定した場合には航空機の離陸中又は着陸中と判定する離陸・着陸判定部109Bと、離陸／着陸判定部により離陸中又は着陸中と判定された場合には電源制御部に対して携帯端末機器の各部への電源供給の切断命令を行う制御部109とを備える。【選択図】図２
2006270457.tif 000002
【特許請求の範囲】
【請求項１】
携帯端末機器の電源切断システムにおいて、
高度を一定時間間隔で測定する高度センサと、
前記高度センサから報告された高度データを記録する高度データ記録部と、
前記携帯端末機器の各部への電源供給を行う電源制御部と、
高度データの時間変化の閾値を記録する閾値記録部と、
前記高度センサから今回報告された高度データと前記高度データ記録部から読み出した前回の高度データとの差をとり、前記差を前記一定時間間隔で割り、高度変化速度を演算する高度変化速度演算部と、
前記高度変化速度演算部で演算された高度変化速度の大きさと前記閾値記録部から読み出した閾値を比較し、前記高速度変化速度の大きさが前記閾値よりも大であると判定した場合には航空機の離陸中又は着陸中と判定する離陸・着陸判定部と、
前記離陸／着陸判定部により離陸中又は着陸中と判定された場合には前記電源制御部に対して前記携帯端末機器の各部への電源供給の切断命令を行う制御部とを備えることを特徴とする携帯端末機器の電源切断システム。
【請求項２】
前記高度センサは圧力センサ又はＧＰＳであることを特徴とする、請求項１に記載の携帯端末機器の電源切断システム。
【請求項３】
前記高度を測定するための一定時間間隔は１秒間隔であることを特徴とする、請求項１に記載の携帯端末機器の電源切断システム。
【請求項４】
前記閾値は１５ｍ／秒であることを特徴とする、請求項１に記載の携帯端末機器の電源切断システム。
【請求項５】
前記携帯端末機器が携帯電話機の場合、前記制御部は、電源供給の切断命令を行う場合、電波を出力する無線部への電源供給だけを切断し、その他の部分には電源供給を継続することを特徴とする、請求項１に記載の携帯端末機器の電源切断システム。
【請求項６】
前記携帯端末機器が携帯電話機の場合、前記制御部は、電源供給の切断命令を行う場合、タイマへの電源供給の切断を除き、電源供給の切断命令後タイマをスタートさせ、所定時間の経過後に、電源供給の切断命令を解除することを特徴とする、請求項１に記載の携帯端末機器の電源切断システム。
【請求項７】
前記所定時間は１０分から１５分の範囲の時間とすることを特徴とする、請求項６に記載の携帯端末機器の電源切断システム。
【請求項８】
前記無線部への電源供給の切断命令後、前記離陸／着陸判定部は離陸中又は着陸中を監視し、離陸終了又は着陸終了後に前記制御部は前記無線部への電源供給の切断命令を解除することを特徴とする、請求項２に記載の携帯端末機器の電源切断システム。
【請求項９】
携帯端末機器の電源切断方法において、
高度を一定時間間隔で測定する工程と、
測定された高度データを記録する工程と、
前記携帯端末機器の各部への電源供給を行う工程と、
高度データの時間変化の閾値を記録する工程と、
測定された今回の高度データと記録された前回の高度データとの差をとり、前記差を前記一定時間間隔で割り、高度変化速度を演算する工程と、
前記高度変化速度の大きさと記録された前記閾値を比較し、前記高速度変化速度の大きさが前記閾値よりも大であると判定した場合には航空機の離陸中又は着陸中と判定する工程と、
離陸中又は着陸中と判定された場合には前記携帯端末機器の各部への電源供給の切断命令を行う工程とを備えることを特徴とする携帯端末機器の電源切断方法。
【請求項１０】
携帯端末機器の電源切断をコンピュータで実行するプログラムにおいて、
一定時間間隔で高度の測定を実行する手順と、
測定された高度データの記録を実行する手順と、
前記携帯端末機器の各部への電源供給を実行する手順と、
高度データの時間変化の閾値の記録を実行する手順と、
測定された今回の高度データと記録された前回の高度データとの差をとり、前記差を前記一定時間間隔で割り、高度変化速度の演算を実行する手順と、
前記高度変化速度の大きさと記録された前記閾値を比較し、前記高速度変化速度の大きさが前記閾値よりも大であると判定した場合には航空機の離陸中又は着陸中との判定を実行する手順と、
離陸中又は着陸中と判定された場合には前記携帯端末機器の各部への電源供給の切断命令を実行する手順とを備えることを特徴とする携帯端末機器の電源切断をコンピュータで実行するプログラム。
【発明の詳細な説明】
【技術分野】
【０００１】
本発明は携帯端末機器の電源切断システムに関する。特に、本発明は、航空機を利用する場合に自動的に電源を切断する携帯端末機器の電源切断システムに関する。
【背景技術】
【０００２】
近年、携帯端末機器の出す電波が、航空機の離陸中又は着陸中に計器に影響を及ぼすことが言われており、離陸中又は着陸中には電源を切るようにアナウンスがされる。所定の飛行高度に達すると携帯端末機器の使用が可能になる。
しかしながら、離陸中又は着陸中に電源を切るようにとのアナウンスを聞き漏らしたり、鞄の奥にしまってしまい取り出せない状況にあるなどのため、確実に携帯端末機器の電源を切ることができるとは限らないという問題がある。
【０００３】
このような問題に関連して以下の従来技術がある。
従来、携帯型電子機器から放射される電磁雑音により、航空機の操縦計器や医療機器などに悪影響を及ぼす事故を、簡単な構成にて確実に防止することができる携帯型電子機器を提供するため、自己位置における現在高度を検出する高度検出手段２２と、該高度検出手段２２により検出された現在高度と、予め設定された所定値とを比較する比較手段２３と、自己の現在速度を検出する速度検出手段２４と、該速度検出手段２４により検出された現在速度と、予め設定された所定値とを比較する比較手段２５と、該比較手段２３，２５によって現在高度が所定値以上であると判定された場合、且つ現在速度が所定値以上であると判定された場合、機器主電源２７を切断する電源制御手段２６とを設けたものがある（例えば、特許文献１参照）。
【０００４】
しかしながら、上記特許文献では、所定高度、所定速度で飛行する航空機での携帯型電子機器の電源を切断するものであるが、航空機の離陸中又は着陸中に携帯端末機器の電源を切断できないという問題を解決するものではない。
【０００５】
【特許文献１】特開平１１−２９８９４７号公報
【発明の開示】
【発明が解決しようとする課題】
【０００６】
したがって、本発明は上記問題点に鑑みて、航空機の離陸中又は着陸中に確実に電源を自動的に切断する携帯端末機器の電源切断システム、方法及びコンピュータで実行するプログラムを提供することを目的とする。
【課題を解決するための手段】
【０００７】
本発明は前記問題点を解決するために、携帯端末機器の電源切断システムにおいて、高度を一定時間間隔で測定する高度センサと、前記高度センサから報告された高度データを記録する高度データ記録部と、前記携帯端末機器の各部への電源供給を行う電源制御部と、高度データの時間変化の閾値を記録する閾値記録部と、前記高度センサから今回報告された高度データと前記高度データ記録部から読み出した前回の高度データとの差をとり、前記差を前記一定時間間隔で割り、高度変化速度を演算する高度変化速度演算部と、前記高度変化速度演算部で演算された高度変化速度の大きさと前記閾値記録部から読み出した閾値を比較し、前記高速度変化速度の大きさが前記閾値よりも大であると判定した場合には航空機の離陸中又は着陸中と判定する離陸・着陸判定部と、前記離陸／着陸判定部により離陸中又は着陸中と判定された場合には前記電源制御部に対して前記携帯端末機器の各部への電源供給の切断命令を行う制御部とを備えることを特徴とする携帯端末機器の電源切断システムを提供する。
【０００８】
好ましくは、前記高度センサは圧力センサ又はＧＰＳである。
好ましくは、前記高度を測定するための一定時間間隔は１秒間隔である。
好ましくは、前記閾値は１５ｍ／秒である。
さらに、前記携帯端末機器が携帯電話機の場合、前記制御部は、電源供給の切断命令を行う場合、電波を出力する無線部への電源供給だけを切断し、その他の部分には電源供給を継続する。
【０００９】
さらに、前記携帯端末機器が携帯電話機の場合、前記制御部は、電源供給の切断命令を行う場合、タイマへの電源供給の切断を除き、電源供給の切断命令後タイマをスタートさせ、所定時間経過後に、電源供給の切断命令を解除する。
さらに、前記所定時間は１０分から１５分の範囲の時間とする。
さらに、前記無線部への電源供給の切断命令後、前記離陸／着陸判定部は離陸中又は着陸中を監視し、離陸終了又は着陸終了後に前記制御部は前記無線部への電源供給の切断命令を解除することを特徴とする、請求項２に記載の携帯端末機器の電源切断システム。
【００１０】
さらに、本発明は、携帯端末機器の電源切断方法において、高度を一定時間間隔で測定する工程と、測定された高度データを記録する工程と、前記携帯端末機器の各部への電源供給を行う工程と、高度データの時間変化の閾値を記録する工程と、測定された今回の高度データと記録された前回の高度データとの差をとり、前記差を前記一定時間間隔で割り、高度変化速度を演算する工程と、前記高度変化速度の大きさと記録された前記閾値を比較し、前記高速度変化速度の大きさが前記閾値よりも大であると判定した場合には航空機の離陸中又は着陸中と判定する工程と、離陸中又は着陸中と判定された場合には前記携帯端末機器の各部への電源供給の切断命令を行う工程とを備えることを特徴とする携帯端末機器の電源切断方法を提供する。
【００１１】
さらに、携帯端末機器の電源切断をコンピュータで実行するプログラムにおいて、一定時間間隔で高度の測定を実行する手順と、測定された高度データの記録を実行する手順と、前記携帯端末機器の各部への電源供給を実行する手順と、高度データの時間変化の閾値の記録を実行する手順と、測定された今回の高度データと記録された前回の高度データとの差をとり、前記差を前記一定時間間隔で割り、高度変化速度の演算を実行する手順と、前記高度変化速度の大きさと記録された前記閾値を比較し、前記高速度変化速度の大きさが前記閾値よりも大であると判定した場合には航空機の離陸中又は着陸中との判定を実行する手順と、離陸中又は着陸中と判定された場合には前記携帯端末機器の各部への電源供給の切断命令を実行する手順とを備えることを特徴とする携帯端末機器の電源切断をコンピュータで実行するプログラムを提供する。
【発明の効果】
【００１２】
以上説明したように、本発明によれば、高度を一定時間間隔で測定し、測定された高度データを記録し、携帯端末機器の各部への電源供給を行い、高度データの時間変化の閾値を記録し、測定された今回の高度データと記録された前回の高度データとの差をとり、差を一定時間間隔で割り、高度変化速度を演算し、高度変化速度の大きさと記録された閾値を比較し、高速度変化速度の大きさが閾値よりも大であると判定した場合には航空機の離陸中又は着陸中と判定し、離陸中又は着陸中と判定された場合には携帯端末機器の各部への電源供給の切断命令を行うようにしたので、航空機の離陸中、着陸中に確実に電源を自動的に切断することが可能になった。
【００１３】
さらに、携帯端末機器が携帯電話機である場合、電波の発生源となる無線部の回路の電源のみを自動的にＯＦＦにし、他の部分は電源ＯＮにしたままにするようにしたので、メールの作成、過去のメールの閲覧、ゲーム、音楽、映像の鑑賞を行うことが可能になる
さらに、離陸終了後又は着陸終了後には携帯電話機の電源の自動ＯＦＦを解除し、電源ＯＮにするようにしたので携帯電話機の着信を可能にし、着信停止期間を短くし、相手への応答不能状態を短くすることが可能になる。
【発明を実施するための最良の形態】
【００１４】
以下、本発明の実施の形態について図面を参照して説明する。
図１は本発明に係る携帯端末機器の概略外観を示す斜視図である。本図に示すように、携帯端末機器の一例として、携帯電話機１００を用いて説明を行う。
携帯電話機１００は、一例として、折り畳み型であり、表示部１０１、キー入力部１０２、ヒンジ部１０３、アンテナ１０４、高度センサ（内蔵）１０５を有する。キー入力部１０２には電源ＯＮ（接続）／ＯＦＦ（切断）キーを含む。携帯電話機１００では主として送信時に電波が放出される。
【００１５】
ここに、表示部１０１はＬＣＤ（液晶表示部）で構成され、メニュー表示、各種機能表示を行う機能を有する。
キー入力部１０２は文字入力キー、機能キー、電源ＯＮ／ＯＦＦキーを有し、データ入力、各種機能を実行し、携帯電話機１００の操作を行う機能を有する。
ヒンジ部１０３は携帯電話機１００の開閉を行う機能を有する。
【００１６】
アンテナ１０４は図示しない基地局と電波の送受信を行い、外部との通信を行う機能を有する。
高度センサ１０５は小型圧力センサ又はＧＰＳ（全地球測位システム）であり、携帯電話機の高度を一定時間間隔で測定する機能を有する。小型圧力センサは腕時計などに使用されており、ＧＰＳも採用されている携帯電話機の機種もあり、近年高度センサは非常に小さくなっており、携帯電話機１００に高度計機能を搭載することが可能となっている。なお、これら高度センサ自体はよく知られているので詳細な説明を省略する。
【００１７】
図２は図１における携帯電話機１００の電源切断システムの概略構成を示すブロック図である。携帯電話機１００の電源切断システムは、本図に示すように、携帯電話機１００の制御部１０９、表示部１０１、キー入力部１０２、高度センサ１０５、無線部１０６、メモリ１０７、電源制御部１０８を有し、プログラム制御で動作を実行する。
ここに、制御部１０９はＣＰＵ（中央演算装置）で構成され、携帯電話機１００全体の制御を行う機能を有する。
【００１８】
無線部１０６にはアンテナ１０４が接続され、無線部１０６はアンテナ１０４への送信信号の変調を行い、アンテナ１０４からの受信信号の復調を行う機能を有する。
メモリ１０７は制御部１０９が実行するプログラムを格納し、各種データを保存する機能を有する。
電源制御部１０８は携帯電話機１００の各部、例えば、表示部１０１、高度センサ１０５、無線部１０６、メモリ１０７への電源供給を行い、制御部１０９からの信号により電源供給を停止することが可能である。
【００１９】
高度センサ１０５は測定した高度情報のデータを一定時間間隔で制御部１０９に報告する。
メモリ１０７には高度データ記録部１０７Ａ、閾値記録部１０７Ｂが設けられる。
ここに、高度データ記録部１０７Ａは高度センサ１０５から制御部１０９に報告された高度情報データを記録する。
【００２０】
閾値記録部１０７Ｂは航空機の離陸中又は着陸中を判定する高度変化速度の閾値を記録する。
制御部１０９には高度変化速度演算部１０９Ａ及び離陸・着陸判定部１０９Ｂが設けられる。
ここに、高度変化速度演算部１０９Ａは高度センサ１０５から報告される高度情報の時間変化から高度変化速度を演算する。
【００２１】
離陸・着陸判定部１０９Ｂは離陸・着陸判定部１０９Ｂから得た高度変化速度が閾値記録部１０７Ｂの閾値と比較して大きい場合には離陸中又は着陸中と判定する。
図３は航空機の離陸状態、着陸状態を説明する図である。本図（ａ）に示すように、航空機３０１が離陸する場合、一般的には３００ｋｍ／ｈ程度の速度で離陸を開始する。このときの上昇角度は滑走路３０２に対して１２度から２０度程度である。仮に１２度で上昇した場合、１分当たり、約１，０００ｍの上昇となり、１秒当たりでは約１６．７ｍの上昇となる。
【００２２】
航空機３０１の離陸状態を考慮してメモリ１０７の閾値記録部１０７Ｂには航空機３０１の離陸か否かを高度の変化速度が閾値を超えているかで判断するため、閾値Ｖｈ０として、例えば、Ｖｈ０＝１５ｍ／秒を予め記録させる。
制御部１０９では、高度センサ１０５から一定時間間隔で報告される高度ｈをメモリ１０７の高度データ記録部１０７Ａに記録する。
【００２３】
制御部１０９の高度変化速度演算部１０９Ａは高度センサ１０５から一定時間間隔（Δｔ［秒］）で報告された高度ｈ［ｍ］から、今回の高度データと前回の高度データの差を求め、以下のようにして高度変化速度Ｖｈ［ｍ／秒］を演算する。
時刻ｔ［秒］に報告があった前回の高度データをｈ（ｔ）［ｍ］とし、
時刻ｔ＋Δｔ［秒］に報告があった今回の高度データをｈ（ｔ＋Δｔ）［ｍ］とすると、
高度変化速度Ｖｈ［ｍ／秒］は以下のように定義される。
【００２４】
Ｖｈ＝｛ｈ（ｔ＋１）−ｈ（ｔ）｝／Δｔ［ｍ／秒］
ここで、好ましくは、一定時間間隔をΔｔ＝１秒とする。
制御部１０９の離陸・着陸判定部１０９Ｂでは、高度変化速度演算部１０９Ａからの高度変化速度Ｖｈとメモリ１０７の閾値記録部１０７Ｂから読み出した閾値Ｖｈ０を比較し、高度変化速度Ｖｈが閾値Ｖｈ０を超えたか否かを判定し、超えた場合には航空機３０１が離陸中で急激な高度変化があると判定する。
【００２５】
したがって、本発明の携帯電話機１００を離陸する航空機３０１内に持ち込んでいた場合、高度センサ１０５により、１分当たり１，０００ｍ（１秒当たり１６．７ｍ）の急激な上昇のデータが得られ、これを航空機３０１の離陸の状態であると判定し、制御部１０９は電源制御部１０８に対して自動的に携帯電話機１００の電源ＯＦＦを行うように命令する。この場合、航空機３０１への影響を考慮し、最低限のデータのみを保存して、最低時間で電源ＯＦＦを行うことになる。
【００２６】
本図（ｂ）に示すように、航空機３０１の着陸中についても同様である。
図４は図２に示す携帯端末機器の電源切断システムの一連の動作例を示すフローチャート図である。本図に示すように、ステップ２０１において、携帯電話機１００の電源をユーザがＯＮにしている。
ステップ２０２において、制御部１０９では、前回の電源ＯＦＦは高度変化速度が判定基準よりも大で自動電源ＯＦＦになったか否かを判断する。自動電源ＯＦＦでない場合にはステップ２０４に進む。
【００２７】
ステップ２０３において、前回の電源ＯＦＦは高度変化速度が判定基準よりも大で自動電源ＯＦＦになった場合には、携帯電話機１００の表示部１０１に以下のようなメッセージを一定時間表示する。
「急激な高度変化により、航空機の離陸中と判定され、自動電源ＯＦＦとなりました。」
【００２８】
ステップ２０４において、高度センサ１０５による高度の測定間隔を、例えば、１秒間隔とし、高度センサ１０５からの高度の測定結果が制御部１０９に１秒間隔で報告される。
ステップ２０５において、制御部１０９の高度変化速度演算部１０９Ａで高度の測定結果である高度データを入手した場合、メモリ１０７の高度データ記録部１０７Ａから前回入手した測定結果である高度データを入手し、今回の高度データと前回の高度データの比較を行う。すなわち、制御部１０９の高度変化速度演算部１０９Ａでは今回の高度データと１秒前の前回の高度データの差を演算し、離陸・着陸判定部１０９Ｂでは、演算した差［ｍ］が閾値記録部１０７Ｂから読み出した閾値１５［ｍ／秒］×１［秒］＝１５［ｍ］以上か否かを判定する。１５［ｍ］以上でない場合にはステップ２０８に進む。
【００２９】
ステップ２０６において、演算した差が１５［ｍ］以上である場合には制御部１０９は高度変化速度から航空機３０１の離陸中と判定し、最低限の情報を記録する。この判定で一般的な離陸中の高度の時間変化は１秒当たり約１６．７［ｍ］以上であり、閾値が１秒当たり１５［ｍ］であり、この比較では離陸中の高度変化速度は閾値よりも大きいため、離陸直後には離陸・着陸判定部１０９Ｂは現在離陸中であると判定可能である。
【００３０】
ステップ２０７において、制御部１０９は電源制御部１０８に対して自動電源ＯＦＦするように命令し処理を終了する。
ステップ２０８において、演算した差が１５［ｍ］未満である場合には、電源ＯＦＦか否かを判定し、電源ＯＮであればステップ２０４に進みステップ２０４からステップ２０５の処理を繰り返し高度変化速度を監視し、電源ＯＦＦであれば処理を終了する。この場合の電源ＯＦＦは通常の電源ＯＦＦである。
【００３１】
このようにして、携帯電話機１００を航空機３０１に持ち込む際に何らかの理由により、離陸中に携帯電話機１００の電源をＯＦＦにできなくても、離陸中の急激な高度変化から携帯電話機１００の自動電源ＯＦＦが可能になった。ユーザが意識しなくても、確実に携帯電話機１００の電源をＯＦＦにさせることができるため、航空機３０１の離陸等を安全に行うことが可能になる。
【００３２】
例えば、離陸中に携帯電話機１００に着信等の要求があった場合も、電源がＯＦＦになっているため、航空機３０１に影響を与えることはなくなる。
なお、次回、ユーザが携帯電話機１００の電源ＯＮにした場合、急激な高度変化による離陸中との判定により、自動電源ＯＦＦにした旨のメッセージをユーザに知らせる。ユーザが意識していない場合の動作であり、誤解を与えないためである。
【実施例１】
【００３３】
以上の説明では、航空機３０１の離陸中に携帯電話機１００を自動電源ＯＦＦにしたが、同様に航空機３０１の着陸中にも携帯電話機１００を自動電源ＯＦＦにし、航空機３０１に影響を与えないようにできる。
【実施例２】
【００３４】
図５は図２に示す携帯端末機器の電源切断システムの一連の動作の第１の変形例を示すフローチャート図である。本図に示すように、ステップ２１１において、携帯電話機１００の電源をユーザがＯＮにしている。
ステップ２１２において、制御部１０９の離陸・着陸判定部１０９Ｂは航空機３０１が離陸中又は着陸中であるか否かを判定する。離陸中でも着陸中でもない場合には処理を終了する。
【００３５】
ステップ２１３において、離陸中又は着陸中である場合、制御部１０９は電源制御部１０８に対して、無線部１０６の電源だけを自動ＯＦＦさせ、処理を終了する。
このようにして、携帯電話機１００の自動電源ＯＦＦでは携帯電話機１００全体を電源ＯＦＦにせず、必要に応じて、外部と通信を行う無線部１０６に対する電源だけを自動的にＯＦＦにする。すなわち、携帯電話機１００の電波の発生源となる回路の電源のみを自動的にＯＦＦにし、他の部分は電源ＯＮにしたままにする。これにより、メールの作成、過去のメールの閲覧、ゲーム、音楽、映像の鑑賞を行うことが可能になる。
【実施例３】
【００３６】
図６は図２に示す携帯端末機器の電源切断システムの一連の動作の第２の変形例を示すフローチャート図である。本図に示すように、ステップ２２１において、携帯電話機１００の電源をユーザがＯＮにしている。
ステップ２２２において、制御部１０９の離陸・着陸判定部１０９Ｂは航空機３０１が離陸中又は着陸中であるか否かを判定する。離陸中でも着陸中でもない場合には処理を終了する。
【００３７】
ステップ２２３において、離陸中又は着陸中である場合、制御部１０９は電源制御部１０８に対して、携帯電話機１００の電源を自動ＯＦＦさせる。この場合、携帯電話機１００は図示しないタイマを有するがこのタイマへの電源はＯＮにしておく。
ステップ２２４において、携帯電話機１００の電源の自動ＯＦＦでタイマを所定時間に設定し、好ましくは、１０分〜１５分の範囲に設定し、タイマをスタートさせ、所定時間の経過を待つ。飛行高度を約１０，０００ｍとすれば、離陸時には１分当たり、約１，０００ｍの上昇であるため、離陸が終了するためにはこの程度の時間が必要だからである。着陸の場合も同様である。
【００３８】
ステップ２２５において、タイマが所定時間経過した場合には携帯電話機１００の電源の自動ＯＦＦを解除し電源をＯＮにし携帯電話機１００の着信を可能にし、処理を終了する。
このようにして、離陸終了後又は着陸終了後には携帯電話機１００の電源をＯＮにし、携帯電話機１００の着信を可能にする。着信停止期間を短くし、相手への応答不能状態を短くするためである。
【実施例４】
【００３９】
図７は図２に示す携帯端末機器の電源切断システムの一連の動作の第３の変形例を示すフローチャート図である。本図に示すように、ステップ２３１において、携帯電話機１００の電源をユーザがＯＮにしている。
ステップ２３２において、制御部１０９の離陸・着陸判定部１０９Ｂは航空機３０１が離陸中又は着陸中であるか否かを判定する。離陸中でも着陸中でもない場合にはステップ２３４に進む。
【００４０】
ステップ２３３において、離陸中又は着陸中である場合、制御部１０９は電源制御部１０８に対して、無線部１０６の電源だけを自動ＯＦＦさせ、ステップ２３２に戻り、離陸・着陸判定部１０９Ｂは離陸中又は着陸中であるかを監視する。
ステップ２３４において、離陸中でも着陸中でもない場合には、制御部１０９は無線部１０６の電源を自動ＯＦＦにしたか否かを判断する。無線部１０６の電源を自動ＯＦＦにしていない場合には処理を終了する。
【００４１】
ステップ２３５において、無線部１０６の電源を自動ＯＦＦにした場合には無線部１０６の電源の自動ＯＦＦを解除し、無線部１０６の電源をＯＮにし携帯電話機１００の着信を可能にし処理を終了する。
このようにして、離陸終了後又は着陸終了後には無線部１０６の電源をＯＮにし、携帯電話機１００の着信を可能にする。着信停止期間を短くし、相手への応答不能状態を短くするためである。
【産業上の利用可能性】
【００４２】
以上、携帯電話機について説明を行ったが、これに限らず、ＰＨＳ（簡易携帯電話機）、ＰＤＡ（携帯情報端末）、ノート型パーソナルコンピュータを含む携帯端末機器に利用可能である。
【図面の簡単な説明】
【００４３】
【図１】本発明に係る携帯端末機器の概略外観を示す斜視図である。
【図２】図１における携帯電話機１００の電源切断システムの概略構成を示すブロック図である。
【図３】航空機の離陸状態、着陸状態を説明する図である。
【図４】図２に示す携帯端末機器の電源切断システムの一連の動作例を示すフローチャート図である。
【図５】図２に示す携帯端末機器の電源切断システムの一連の動作の第１の変形例を示すフローチャート図である。
【図６】図２に示す携帯端末機器の電源切断システムの一連の動作の第２の変形例を示すフローチャート図である。
【図７】図２に示す携帯端末機器の電源切断システムの一連の動作の第３の変形例を示すフローチャート図である。
【符号の説明】
【００４４】
１００…携帯電話機
１０１…表示部
１０２…キー入力部
１０３…ヒンジ部
１０４…アンテナ
１０５…高度センサ
１０６…無線部
１０７…メモリ
１０７Ａ…高度記憶部
１０７Ｂ…判定基準記憶部
１０８…電源制御部
１０９…制御部
１０９Ａ…高度変化速度演算部
１０９Ｂ…離陸・着陸判定部
３０１…航空機
３０２…滑走路
【図１】
2006270457.tif 000003
【図２】
2006270457.tif 000004
【図３】
2006270457.tif 000005
【図４】
2006270457.tif 000006
【図５】
2006270457.tif 000007
【図６】
2006270457.tif 000008
【図７】
2006270457.tif 000009